(57)【要約】【課題】吐水ヘッドをホースとともに引出し可能となしたホース収納式自動水栓において、人体感知センサを備えた吐水ヘッドを大型化してしまうことがなく、吐水ヘッドをコンパクトに構成しつつ吐水ヘッドへの給電を円滑になし得るようにする。【解決手段】人体感知センサ２４を備えた吐水ヘッド１２をホース１８とともに引出し可能となしたホース収納式自動水栓において、電磁結合された給電側の１次コイル４４と受電側の２次コイル４６とを対向して有し、電磁誘導により１次コイル４４から２次コイル４６に給電を行う給電コイル４０を１次コイル４４が吐水部本体１４側に、２次コイル４６が吐水ヘッド１２側にそれぞれ位置し且つそれらがホース１８を取り巻く状態に配設する。【選択図】        図２
2005320712.tif 000002
【特許請求の範囲】
【請求項１】
吐水ヘッドを、該吐水ヘッドに接続され且つ該吐水ヘッドの保持本体内に収納された、通水路を形成するホースとともに引出し可能となしたホース収納式水栓において、
電磁結合された給電側の１次コイルと受電側の２次コイルとを対向して有し、電磁誘導により該１次コイルから２次コイルに給電を行う給電コイルを該１次コイルが前記保持本体側に、２次コイルが前記吐水ヘッド側にそれぞれ位置し且つそれら１次コイル及び２次コイルが前記通水路を取り巻く状態に配設してあることを特徴とするホース収納式水栓。
【請求項２】
請求項１において、前記吐水ヘッドが人の操作を感知する操作感知部を備えており、前記給電コイルが該操作感知部の動作用の給電を行うものとなしてあることを特徴とするホース収納式水栓。
【請求項３】
請求項２において、前記操作感知部が人体を感知する人体感知センサであり、前記水栓が該人体感知センサによる人体感知に基づいて前記吐水ヘッドから自動的に吐水及び止水する自動水栓であることを特徴とするホース収納式水栓。
【請求項４】
請求項２，３の何れかにおいて、前記吐水ヘッド側には前記操作感知部からの操作感知信号を送信する送信部が、前記保持本体側には該信号を受信する受信部がそれぞれ設けられており、前記給電コイルがそれら送信部と受信部との間の通信用に給電を行うものとなしてあることを特徴とするホース収納式水栓。
【発明の詳細な説明】
【技術分野】
【０００１】
この発明は吐水ヘッドをその保持本体から可撓性のホースとともに引出し可能となしたホース収納式水栓に関し、詳しくは保持本体から引出し可能な吐水ヘッドへの給電手段に特徴を有するものに関する。
【背景技術】
【０００２】
従来、吐水ヘッドの吐水口近傍に人体感知センサ（操作感知部）を備え、吐水口の下方に手を差し出すと人体感知センサがこれを感知して吐水口から自動的に吐水するようになした自動水栓が主として手洗用水栓として広く用いられている。
【０００３】
近年、この自動水栓をキッチン用水栓としても適用することが考えられている。
ところでキッチン用水栓或いは洗面所用水栓として、近年吐水ヘッドをこれに接続され且つその保持本体内に収納した給水用の可撓性のホースとともに引出し可能となしたホース収納式水栓が好んで用いられるようになって来ている。
【０００４】
この種ホース収納式水栓では、吐水ヘッドをホースとともに引き出すことによって、シンクの掃除や洗髪，背の高い容器に水を溜める際に任意の位置で吐水ヘッドの吐水口から吐水することができ、利便性が高い。
従って上記の自動水栓をキッチン用水栓，洗面所用水栓等として適用する場合においても、かかる自動水栓をこのようなホース収納式水栓として構成することが要望される。
【０００５】
ところで上記のような自動水栓にあっては、吐水ヘッドに備えた人体感知センサに対して電力供給することが必要であり、従ってかかる自動水栓をホース収納式水栓として構成した場合、ホースとともに保持本体から引出し可能な、即ち可動の吐水ヘッドの人体感知センサに対して電力供給する手段が問題となる。
【０００６】
その一手段として電源用の端子を設けることが考えられるが、この場合端子は水がかかる場所に設けられることとなり、端子の腐食や水による端子の短絡の可能性がある問題がある。
一方ホースの中に電線コードを通すことも考えられるが、この場合電線の耐久性が問題であり、またこのように電線コードをホース内部に通すと必然的にホースが太くなってしまう問題が生ずる。
【０００７】
他方吐水ヘッドに電池を搭載することも考えられるが、この場合には必然的に吐水ヘッドが嵩高くなってしまい、コンパクト化が求められる吐水ヘッドが大型化してしまう問題の外、電池交換のための手間が面倒であるといった問題が生ずる。
【０００８】
以上自動水栓についての問題を述べたが、例えば自動水栓以外のホース収納式水栓において、吐水ヘッドに電気的な表示部その他の電気的な負荷を備えたホース収納式水栓においても同様の問題が生ずる。
【０００９】
尚、下記特許文献１には自動水栓をホース収納式水栓として構成し、そしてホースとともに引出し可能な吐水ヘッドのセンサに対して、カウンター下に設けた制御装置から給電をする点が開示されているが、そこには具体的にどのようにして吐水ヘッド、即ちセンサに対し制御装置から給電するかについての開示はなされていない。
【００１０】
【特許文献１】特開２００３−２３９３３８号公報
【発明の開示】
【発明が解決しようとする課題】
【００１１】
本発明は以上のような事情を背景とし、保持本体による保持位置とこれから離間した引出し位置との間で吐水ヘッドをホースとともに引出し可能となしたホース収納式水栓において、電線コードのためにホースが太くなってしまったり、その内部で電線コードの断線や漏電を起したりする問題を生じることがなく、また給電のために吐水ヘッドが大型化してしまうこともなく、かかる吐水ヘッドをコンパクトに構成可能でしかも吐水ヘッドに良好に給電することのできるものを提供することを目的としてなされたものである。
【課題を解決するための手段】
【００１２】
而して請求項１のものは、吐水ヘッドを、該吐水ヘッドに接続され且つ該吐水ヘッドの保持本体内に収納された、通水路を形成するホースとともに引出し可能となしたホース収納式水栓において、電磁結合された給電側の１次コイルと受電側の２次コイルとを対向して有し、電磁誘導により該１次コイルから２次コイルに給電を行う給電コイルを該１次コイルが前記保持本体側に、２次コイルが前記吐水ヘッド側にそれぞれ位置し且つそれら１次コイル及び２次コイルが前記通水路を取り巻く状態に配設してあることを特徴とする。
【００１３】
請求項２のものは、請求項１において、前記吐水ヘッドが人の操作を感知する操作感知部を備えており、前記給電コイルが該操作感知部の動作用の給電を行うものとなしてあることを特徴とする。
【００１４】
請求項３のものは、請求項２において、前記操作感知部が人体を感知する人体感知センサであり、前記水栓が該人体感知センサによる人体感知に基づいて前記吐水ヘッドから自動的に吐水及び止水する自動水栓であることを特徴とする。
【００１５】
請求項４のものは、請求項２，３の何れかにおいて、前記吐水ヘッド側には前記操作感知部からの操作感知信号を送信する送信部が、前記保持本体側には該信号を受信する受信部がそれぞれ設けられており、前記給電コイルがそれら送信部と受信部との間の通信用に給電を行うものとなしてあることを特徴とする。
【発明の作用・効果】
【００１６】
以上のように本発明は、ホース収納式水栓において、給電側の１次コイルと受電側の２次コイルとを対向して有し、電磁誘導により１次コイルから２次コイルに給電を行う給電コイルを１次コイルが保持本体側に、２次コイルが吐水ヘッド側にそれぞれ位置し且つそれらが通水路を取り巻く状態に配設したもので、本発明によれば、可動の吐水ヘッドに対し給電コイルによって、詳しくは１次コイルと２次コイルとの間の電磁誘導により良好に電力供給することができる。
【００１７】
かかる本発明によれば、吐水ヘッド側に給電を行うための電線コードをホース内部に通すことも必要でなく、従ってこれにより電線コードの耐久性が問題となったり、ホースが太くなったり、或いはホース内で電線コードが断線してトラブルを生じたりする問題を解決することができる。
また吐水ヘッドに電池を搭載する必要もなくすことができるので、電池搭載によって吐水ヘッドが大型化してしまったり、電池交換のための手間が面倒になるといった問題も解決することができる。
【００１８】
本発明ではまた給電コイルを、詳しくは１次コイル及び２次コイルを通水路を取り巻く状態に配設してあることから、吐水ヘッドを保持本体により保持させる位置にセットしたときの吐水ヘッドの回転角度位置に拘わらず、１次コイルから２次コイルに即ち吐水ヘッド側に良好に電力供給できる利点が得られる。
別言すれば、セット時における吐水ヘッドの回転角度位置を所望の角度とすることにより、吐水ヘッド側への電力供給を確保しつつ吐水口の位置を最適の位置に持ち来してこれより吐水することが可能となる。
【００１９】
本発明においては、上記給電コイルを吐水ヘッドに備えた操作感知部の動作用の給電を行うものとなしておくことができる（請求項２）。
【００２０】
ここでその操作感知部は接触式のスイッチとしておくこともできるが、かかる操作感知部を人の手等を感知する人体感知センサとし、その人体感知センサによる人体感知に基づいて吐水ヘッドから自動的に吐水及び止水するように水栓を構成することができる。即ち自動水栓をホース収納式水栓として構成することができる（請求項３）。
この場合において上記人体感知センサは、人体感知しているときのみ吐水を行わせ、非感知となることによって止水を行わせるためのセンサとなしておくことができる。
【００２１】
更にこれらの場合において、吐水ヘッド側には上記操作感知部からの操作感知信号を送信する送信部を設ける一方、保持本体側にはその信号を受信する受信部を設け、給電コイルをそれら送信部と受信部との間の通信用に給電を行うものとなしておくことができる（請求項４）。
このようにすれば、可動の吐水ヘッドと保持本体との間において良好に信号授受することが可能となり、操作感知部からの操作感知信号を支障なく固定側である保持本体側に伝達することができ、操作感知部による操作感知に基づいて水栓の動作を制御することができる。
例えば操作感知部を上記人体感知センサとした場合において、吐水ヘッド側の人体感知センサによる感知，非感知に基づいて保持本体側即ち固定側の制御部により吐水，止水の動作を制御することが可能となる。
【発明を実施するための最良の形態】
【００２２】
次に本発明の実施形態を図面に基づいて詳しく説明する。
図１において、１０は主として手洗用ないし洗面化粧用水栓として好適なホース収納式自動水栓（以下単に自動水栓）で、１２は可動の吐水ヘッド、１４はカウンター１６上に起立状態且つ固定状態に設けられた保持本体としての吐水部本体で、本例ではこれら吐水ヘッド１２と吐水部本体１４とで自動水栓１０における吐水部が構成されている。
【００２３】
吐水ヘッド１２には給水用の可撓性のホース１８の一端側が接続されており、吐水ヘッド１２を吐水部本体１４により保持した状態の下でその吐水部本体１４内に収納された状態にある、厳密には吐水ヘッド１２側の一部が吐水部本体１４内に収納された状態にあるホース１８が、吐水ヘッド１２とともに吐水部本体１４から引き出されるようになっている。
【００２４】
この可動の吐水ヘッド１２には、ホース１８を通じて送られて来た水を外部に吐水する吐水口２０と、その近傍位置においてセンサ窓２２が、更にそのセンサ窓２２の内部において図２に示しているように赤外線式の人体感知センサ２４が備えられている。
【００２５】
ここで人体感知センサ２４は赤外線をレンズ２５及びセンサ窓２２を通じて吐水口２０前方に発光し、そして手等の人体からの反射光を受光して、その反射光の受光に基づいて人体を感知する。
この例の自動水栓では、人体感知センサ２４が差し出された手等の人体を感知している間だけ吐水口２０から自動吐水を行い、人体感知センサ２４が人体を非感知となったところで、吐水口２０からの吐水を自動的に停止、即ち止水する。
【００２６】
一方吐水ヘッド１２の天面には連続吐水スイッチ２６が設けられている。
この実施形態では、連続吐水スイッチ２６を１回押操作すると吐水口２０から連続的に吐水され、次にもう１度これを押操作するとそこで吐水口２０からの吐水が停止する。即ち連続吐水スイッチ２６を１回押操作するごとに吐水口からの吐水と止水とが行われる。
図２に示しているようにこの連続吐水スイッチ２６は、スイッチ本体２８とこれを覆う可撓部３０とを有している。
【００２７】
吐水ヘッド１２には、図２に示しているようにこれら人体感知センサ２４，連続吐水スイッチ２６からの信号を吐水部本体１４側、詳しくは後述の本体側制御部に送るための送信部としての発光部６４が備えられており、その発光部６４が信号線６８Ｂにて後述のヘッド側制御部３８に接続されている。
【００２８】
吐水ヘッド１２には、このヘッド側制御部３８とともに２次電源部３６が備えられており、これを電源として人体感知センサ２４によるセンシング，人体感知センサ２４及び連続吐水スイッチ２６からの操作感知信号の送信，ヘッド側制御部３８の動作等が行われるようになっている。
尚、２次電源部３６には蓄電池，コンデンサ等の蓄電手段，定電圧化回路等が備えられている。
また２次電源部３６，ヘッド側制御部３８は回路収納部３５内に収納されている。
【００２９】
図２において、６６は発光部６４からの発光信号を受光する受信部としての受光部で、この受光部６６は信号線６８Ａを介して図３の本体側制御部５２に接続され、受光信号をその本体側制御部５２へと伝送する。
【００３０】
図１に示しているように、上記ホース１８はカウンター１６の下側において電磁弁３２及び止水栓３４を介して給水元管に接続されており、給水元管からの水がこれら止水栓３４，電磁弁３２を介してホース１８へと導かれ、更にその一端が接続された吐水ヘッド１２の吐水口２０から外部へと吐水される。
【００３１】
３７は制御ボックスで、その内部に本体側制御部５２と１次電源部５４とが備えられている（図３参照）。
そしてその１次電源部が外部電源に接続され、また本体側制御部５２に対し上記電磁弁３２が電気的に接続されている。
電磁弁３２は、この本体側制御部５２の制御の下に開閉制御される。
【００３２】
この本体側制御部５２にはまた、上記のように信号線６８Ａが接続されており、吐水ヘッド１２側の人体感知センサ２４，連続吐水スイッチ２６等からの信号がこの本体側制御部５２に入力される。
【００３３】
本実施形態では、人体感知センサ２４が人体感知するとその信号（操作感知信号）を受けて本体側制御部５２が電磁弁３２を開弁させて吐水口２０から吐水を行わせ、また人体感知センサ２４が人体を非感知となったときに、これからの信号を受けて本体側制御部５２が電磁弁３２を閉弁動作させ、吐水口２０からの吐水を停止させる。
【００３４】
また連続吐水スイッチ２６が押操作されるとそこからオン信号（操作感知信号）が本体側制御部５２に送られて、本体側制御部５２が電磁弁３２を開弁動作させ、吐水口２０から連続吐水させる。
また次に連続吐水スイッチ２６が押操作されてそこからオフ信号が本体側制御部５２に送られると、この信号を受けて本体側制御部５２が電磁弁３２を閉弁動作させ、吐水口２０からの吐水を停止させる。
【００３５】
尚、図１において吐水部本体１４の頂面には嵌合突部４８が設けられている。
一方図２及び図４に示しているように吐水ヘッド１２には対応する嵌合凹部５０が設けられており、吐水ヘッド１２はそれら嵌合突部４８と嵌合凹部５０とが嵌合する状態に、吐水部本体１４上にセットされる。即ち吐水部本体１４による保持位置に保持される。
【００３６】
図２に示しているように吐水ヘッド１２を吐水部本体１４に保持させたときの、吐水ヘッド１２と吐水部本体１４との接合部には給電コイル（電磁カプラ）４０が設けられている。
この給電コイル４０は通水路の軸方向、具体的にはここではホース１８の軸方向に互いに対向する給電側の１次コイル４４と、これに電磁結合した受電側の２次コイル４６とを有している。
【００３７】
ここで１次コイル４４は吐水部本体１４側に、また２次コイル４６は吐水ヘッド１２側に設けられており、且つそれら１次コイル４４及び２次コイル４６はホース１８を取り巻く状態で、即ち通水路を取り巻く状態で配設されている。
ここで１次コイル４４は電源線４２Ａを介して図３の１次電源部５４に接続され、また２次コイル４６は電源線４２Ｂを介して図３の２次電源部３６にそれぞれ接続されている。
【００３８】
吐水本体１４側の電源線４２Ａと吐水ヘッド１２側の電源線４２Ｂとは、図３にも示しているように給電コイル４０にて電磁的に結合されており、この給電コイル４０により、詳しくは１次コイル４４と２次コイル４６との間の電磁誘導により電源線４２Ａから電源線４２Ｂへと電力が供給され、更に電源線４２Ｂを通じて吐水ヘッド１２側の２次電源部３６へと電力供給されて、そこに備えられた蓄電手段に供給された電力が蓄えられる。
【００３９】
この給電コイル４０において、１次コイル４４から２次コイル４６への電力供給は具体的には次のようにして行われる。
即ち、図３において本体側制御部５２の制御の下にスイッチングトランジスタ６０を高周波でスイッチングすることで、１次側コイル４４に高周波で電流を通ずると、電磁誘導作用により２次コイル４６に誘導電流が生じて２次電源部３６に電力が供給される。
尚、図３において５６は共振コンデンサ、５８は同調コンデンサであり、また５９は整流ダイオードである。
【００４０】
本実施形態では、吐水ヘッド１２側の誘導電流の有無を検出することにより電力供給の有無を検出する給電検出部６２が設けられている。
そしてこの給電検出部６２により、電磁誘導による１次コイル４４から２次コイル４６への電力供給がなくなったとき、具体的には吐水ヘッド１２が吐水部本体１４から引き出されて離れたときに、これが検知されるようになっている。
【００４１】
その結果、ヘッド側制御部３８は連続吐水スイッチ２６を引続き動作状態に維持する一方、直ちに若しくは所定の設定時間後に人体感知センサ２４によるセンシング動作を停止させ、人体感知センサ２４による電力消費を停止させる。
【００４２】
このようにしているのは、吐水ヘッド１２がホース１８とともに吐水部本体１４から引き出されたときには、人体感知センサ２４による人体の感知，非感知によるよりは、連続吐水スイッチ２６による操作に基づいて吐水及び止水が行われることが多いことによる。
【００４３】
但し必要に応じて人体感知センサ２４による感知，非感知に基づいて吐水，止水を行うようになすことも可能であり、そのような場合には吐水ヘッド１２が引き出された後、設定時間だけこれをセンシング動作させるようになしておくのが良い。
【００４４】
本実施形態の自動水栓１０では、吐水ヘッド１２を吐水部本体１４に保持させた状態の下でセンサ窓２２の前方に、即ち人体感知センサ２４の前方に手を差し出すことで、吐水口２０から自動的に吐水させることができる。
また人体感知センサ２４の前方から手を引き抜くことで自動的に止水させることができる。
【００４５】
一方吐水ヘッド１２をホース１８とともに吐水部本体１４から引き出した状態で連続吐水スイッチ２６を操作することで、任意の位置に持ち来した吐水口２０から連続吐水及び止水を行うことができる。
【００４６】
以上のように本実施形態によれば、給電コイル４０により可動の吐水ヘッド１２側に電力供給することができる。
従って吐水ヘッド１２側に給電を行うための給電用の電線コードをホース１８内部に通すことも必要でなく、従ってこれにより電線コードの耐久性が問題となったりホース１８が太くなったり、或いはホース１８内で電線コードが断線してトラブルを生じたりする問題を生じない。
また吐水ヘッド１２に電池を搭載する必要もなくすことができるので、電池搭載によって吐水ヘッド１２が大型化してしまい、また電池交換のための手間が面倒になるといった問題も生じない。
【００４７】
本実施形態ではまた給電コイル４０、詳しくは１次コイル４４及び２次コイル４６を、ホース１８を取り巻く状態に配設してあることから、吐水ヘッド１２を吐水部本体１４による保持位置にセットしたときの吐水ヘッド１２の回転角度位置に拘わらず、１次コイル４４から２次コイル４６に即ち吐水ヘッド１２側に良好に電力供給することができる。
つまりセット時に吐水ヘッド１２の回転角度位置を所望の角度と、これにより吐水口２０の位置を最適の位置に持ち来した状態の下で、吐水ヘッド１２側への給電を確保しつつ吐水ヘッド１２からの吐水を行わせることができる。
【００４８】
また本実施形態では吐水ヘッド１２に送信部としての発光部６４を、吐水部本体１４側に受信部としての受光部６６を設けて、通信用の電力を吐水ヘッド１２側に給電コイル４０を通じて供給するようになしていることから、人体感知センサ２４，連続吐水スイッチ２６からの操作感知信号を支障なく固定側である吐水部本体１４側に伝達することができ、それら人体感知センサ２４，連続吐水スイッチ２６による操作感知に基づいて水栓の動作を制御することができる。
【００４９】
図５〜図７は本発明の他の実施形態を示している。
図５において、１０はキッチン用のシングルレバー式の自動水栓で７０はシンク、７２は流し台のカウンター上に起立状態に設けられた水栓本体で、その上部にレバー操作部７４が上下及び左右に回動可能に設けられている。
【００５０】
水栓本体７２からは図１の吐水部本体１４に相当する吐水管本体７６がシンク７０側に向けて斜め上方に延び出している。
この吐水管本体７６による保持位置と引出し位置との間で可動の吐水ヘッド１２には、図６に示しているようにその天面にセンサ窓２２が設けられていて、その内部に発光部７８と受光部８０とを有する赤外線式の人体感知センサ８２が設けられている。
この実施形態では吐水管本体７６ないし吐水管本体７６と水栓本体７２とが吐水ヘッド１２の保持本体を成している。
【００５１】
ここで人体感知センサ８２は、発光部７８から赤外線を吐水ヘッド１２の天面から外部にセンサ窓２２を通じて発光し、人体による反射光を受光部８０で受光して人体の有無を感知する。
但しこの実施形態では人の指等が至近距離にあるときのみ人体感知するようになしてある。
即ちこの実施形態では人体感知センサ８２が非接触で人体感知するものの、いわゆるタッチ式スイッチに近いものとして構成されている。
【００５２】
またこの実施形態では人体感知センサ８２は人体の感知、具体的には主として人の指を感知したときにのみ吐水を行わせ、非感知となったところで止水を行うといったものではなく、一旦人体を感知した後はその後に人体非感知となった場合でも吐水口２０から連続的に吐水を行わせ、次に再び指が差し出されて人体感知したときに、そこで初めて吐水口２０からの吐水を停止させるためのセンサとして構成されている。
即ち上記実施形態における連続吐水スイッチ２６と同様の機能を有するものとして構成されている。
【００５３】
この実施形態では、図６に示しているように人体感知センサ８２からの操作感知信号を送信する送信部としての赤外線の発光部６４が、吐水ヘッド１２の前面の発光用の窓部８１に臨む位置に配置されており、その信号が送信部６４から窓部８１を通じて外部に送信される。
一方、図５に示しているように吐水管本体７６の基端部下面には受光用の窓部８３が設けられていて、その内部に受信部としての赤外線の受光部６６（図７参照）が設けられている。
【００５４】
この実施形態では、発光部６４からの発光信号が受光部６６で受光されて本体側制御部５２に送られ、これに基づいて図７の電磁弁の開閉制御がなされる。
【００５５】
図７において８４，８６はそれぞれ水，湯の供給路で、これら供給路８４，８６を通じて供給された水と湯とが、水栓本体７２内部の混合弁８７で混合される。
そして混合弁８７を経た混合水が、流出路８８を通じて吐水ヘッド１２へと導かれる。
【００５６】
ここで流出路８８は、水栓本体７２から延び出した部分の大部分が上記の可撓性のホース１８にて形成されている。
この流出路８８上には電磁弁３２が設けられており、流出路８８を通じての混合水の流出、即ち吐水口２０からの吐水と止水とが電磁弁３２にて制御される。
この自動水栓１０では、レバー操作部７４の左右及び上下回動操作によって混合弁８７が動作させられて、水と湯との混合比率及び全体の吐水の流量が調節される。
【００５７】
この実施形態では、吐水ヘッド１２を吐水管本体７６にて保持させた状態で人体感知センサ８２の上方に指を差し出すと、人体感知センサ８２がこれを感知する。
そして人体感知センサ８２による感知に基づいて発光部６４から信号が発光信号として発せられ、そしてこれが受光部６６で受光されて本体側制御部５２へと送られる。
本体側制御部５２はこれを受けて電磁弁３２を開弁動作させ、吐水口２０から混合水を吐水させる。
【００５８】
本実施形態の人体感知センサ８２は、上記のように連続吐水スイッチ用として構成されており、従って差し出された指がその後に離れた場合であっても吐水口２０からの吐水が継続される。
そして再び人体感知センサ８２の上方に指が差し出されたとき、人体感知センサ８２による感知に基づいて吐水口２０からの吐水が停止する。
即ちそのときの人体感知センサ８２からの信号に基づいて本体側制御部５２が電磁弁３２を閉弁動作させ、吐水口２０からの吐水を停止させる。
【００５９】
本実施形態においても、吐水ヘッド１２を吐水管本体７６から引き出すと、その引出しが給電検出部により検出される。
この時点で人体感知センサ８２によるセンシングを停止させるようにしても良い（この場合には吐水ヘッド１２を吐水管本体７６に保持させた状態で予め吐水させておき、その状態で吐水ヘッド１２を引き出して使用することになる）が、本実施形態では吐水ヘッド１２を引き出した後においても人体感知センサ８２によるセンシングを継続させるようになしておいても良い。
【００６０】
このようにしておけば、吐水ヘッド１２を引き出した状態で人体感知センサ８２から成る連続吐水スイッチの操作により吐水口２０からの連続吐水と止水とを行わせることができる。
或いはまた吐水ヘッド１２を引き出した後、設定時間だけ人体感知センサ８２によるセンシングを継続させ、設定時間満了したところでセンシングを停止させるようになすこともできる。
【００６１】
吐水ヘッド１２を引き出して使用している時間は、これを吐水管本体７６に保持させているときの時間に比べて短いものであり、従ってその時間を予め見込んだ時間で設定時間を定めておくことで、吐水ヘッド１２を引き出した状態の下で連続吐水スイッチを操作可能となしておくことができる。
【００６２】
一方で吐水ヘッド１２が引き出されたまま放置されてしまうような場合には、その時間が長くなることによって人体感知センサ８２による電力消費が多大となる。
この場合には設定時間の満了によって人体感知センサ８２によるセンシングを自動的に停止させることで、電力の多大な消費を防止することができる。
【００６３】
以上本発明の実施形態を詳述したがこれらはあくまで一例示であり、本発明は各種用途の水栓に対して適用することが可能であるなど、その趣旨を逸脱しない範囲において種々変更を加えた形態で構成可能である。
【図面の簡単な説明】
【００６４】
【図１】本発明の一実施形態であるホース収納式自動水栓を示す図である。
【図２】同実施形態の要部を拡大して示す図である。
【図３】同実施形態における回路構成をブロック図として示したものである。
【図４】同実施形態の作用説明図である。
【図５】本発明の他の実施形態を示す図である。
【図６】同実施形態の要部拡大図である。
【図７】同実施形態における水，湯，混合水の経路を示す概略図である。
【符号の説明】
【００６５】
１０  ホース収納式自動水栓
１２  吐水ヘッド
１４  吐水部本体（保持本体）
１８  ホース
２４  人体感知センサ
４０  給電コイル
４４  １次コイル
４６  ２次コイル
６４  発光部（送信部）
６６  受光部（受信部）
【図１】
2005320712.tif 000003
【図２】
2005320712.tif 000004
【図３】
2005320712.tif 000005
【図４】
2005320712.tif 000006
【図５】
2005320712.tif 000007
【図６】
2005320712.tif 000008
【図７】
2005320712.tif 000009